(57)【要約】【課題】ケーシング内におけるモータの回転中心位置を任意に設定できるようにする。【解決手段】圧縮機（1）は、円筒状のケーシング（2）と、ケーシング（2）に収納されたモータ（10）とを備えている。モータ（10）のステータ（11）は、円筒状のバックヨーク部（12）を有する。ケーシング（2）の中心（Oc）からバックヨーク部（12）の内周面又は外周面までの距離が、周方向で異なっている。【選択図】図２
2020162348.tif 000002
【特許請求の範囲】
【請求項１】
筒状のケーシング（2）と、該ケーシング（2）に収納されたモータ（10）とを備えた圧縮機であって、
前記モータ（10）のステータ（11）は、筒状のバックヨーク部（12）を有し、
前記ケーシング（2）の中心（Oc）から前記バックヨーク部（12）の内周面又は外周面までの距離が、周方向で異なっている圧縮機。
【請求項２】
請求項１において、
前記モータ（10）のロータ（15）の中心（Or）は、前記ケーシング（2）の中心（Oc）と一致している圧縮機。
【請求項３】
請求項１において、
前記モータ（10）のロータ（15）の中心（Or）は、前記ケーシング（2）の中心（Oc）に対して偏心している圧縮機。
【請求項４】
請求項１乃至３のうち何れか１つにおいて、
前記バックヨーク部（12）の外周面には、周方向に間隔をあけて配置され、前記ケーシング（2）の内周面に向かって突出する複数の突出部（14）が設けられている圧縮機。
【請求項５】
請求項１乃至４のうち何れか１つにおいて、
前記ケーシング（2）に接続されたアキュムレータ（8）を備え、
前記ステータ（11）の重心位置は、前記ケーシング（2）の中心（Oc）に対して前記アキュムレータ（8）側に偏心している圧縮機。
【請求項６】
請求項１乃至４のうち何れか１つにおいて、
前記ケーシング（2）に接続されたアキュムレータ（8）を備え、
前記ステータ（11）の重心位置は、前記ケーシング（2）の中心（Oc）に対して前記アキュムレータ（8）とは反対側に偏心している圧縮機。
【発明の詳細な説明】
【技術分野】
【０００１】
本開示は、圧縮機に関するものである。
【背景技術】
【０００２】
特許文献１には、固定子の第１領域に設けられたティース部の径方向長さを、第１領域と径方向反対側の第２領域に設けられたティース部よりも長くしたモータ（電動機）が開示されている。これにより、回転子の中心を、固定子の外周部の中心に対して偏心させるようにしている。
【先行技術文献】
【特許文献】
【０００３】
【特許文献１】特開２０１８−１８３０２１号公報
【発明の概要】
【発明が解決しようとする課題】
【０００４】
ところで、回転子の中心を偏心させる場合には、モータの駆動軸に接続される圧縮機構の回転中心も偏心させる必要がある。
【０００５】
しかしながら、特許文献１の発明では、固定子の外周部がケーシングの内周面に嵌合された構成であるので、回転子の中心の偏心量が大きすぎると、回転子の中心とケーシングの壁部との間隔が狭くなり、圧縮機構を配置するスペースを十分に確保できなくなる。
【０００６】
本開示の目的は、ケーシング内におけるモータの回転中心位置を任意に設定できるようにすることにある。
【課題を解決するための手段】
【０００７】
本開示の第１の態様は、筒状のケーシング（2）と、該ケーシング（2）に収納されたモータ（10）とを備えた圧縮機を対象とし、前記モータ（10）のステータ（11）は、筒状のバックヨーク部（12）を有し、前記ケーシング（2）の中心（Oc）から前記バックヨーク部（12）の内周面又は外周面までの距離が、周方向で異なっている。
【０００８】
第１の態様では、ケーシング（2）の中心（Oc）からバックヨーク部（12）の内周面又は外周面までの距離を、周方向で異なるようにしているので、ケーシング（2）内におけるモータ（10）の回転中心位置を任意に設定することができる。これにより、圧縮機の重心位置を変更することができる。
【０００９】
本開示の第２の態様は、第１の態様において、前記モータ（10）のロータ（15）の中心（Or）は、前記ケーシング（2）の中心（Oc）と一致している。
【００１０】
第２の態様では、ロータ（15）の中心（Or）とケーシング（2）の中心（Oc）とを一致させることで、モータ（10）とケーシング（2）との位置合わせをし易くなり、圧縮機の組立性が良好となる。
【００１１】
本開示の第３の態様は、第１の態様において、前記モータ（10）のロータ（15）の中心（Or）は、前記ケーシング（2）の中心（Oc）に対して偏心している。
【００１２】
第３の態様では、ロータ（15）の中心（Or）をケーシング（2）の中心（Oc）に対して偏心させることで、圧縮機の重心位置を変更することができる。
【００１３】
本開示の第４の態様は、第１乃至第３の態様のうち何れか１つにおいて、前記バックヨーク部（12）の外周面には、周方向に間隔をあけて配置され、前記ケーシング（2）の内周面に向かって突出する複数の突出部（14）が設けられている。
【００１４】
第４の態様では、バックヨーク部（12）の外周面には、周方向に間隔をあけて複数の突出部（14）が設けられている。突出部（14）は、ケーシング（2）の内周面に向かって突出している。これにより、複数の突出部（14）によって、モータ（10）をケーシング（2）内でバランス良く支持することができる。
【００１５】
本開示の第５の態様は、第１乃至第４の態様のうち何れか１つにおいて、前記ケーシング（2）に接続されたアキュムレータ（8）を備え、前記ステータ（11）の重心位置は、前記ケーシング（2）の中心（Oc）に対して前記アキュムレータ（8）側に偏心している。
【００１６】
第５の態様では、ステータ（11）の重心位置を、ケーシング（2）の中心（Oc）に対してアキュムレータ（8）側に偏心させている。これにより、アキュムレータ（8）の振動を低減することができる。
【００１７】
本開示の第６の態様は、第１乃至第４の態様のうち何れか１つにおいて、前記ケーシング（2）に接続されたアキュムレータ（8）を備え、前記ステータ（11）の重心位置は、前記ケーシング（2）の中心（Oc）に対して前記アキュムレータ（8）とは反対側に偏心している。
【００１８】
第６の態様では、ステータ（11）の重心位置を、ケーシング（2）の中心（Oc）に対してアキュムレータ（8）とは反対側に偏心させている。これにより、モータ（10）を備えたケーシング（2）の振動を低減することができる。
【図面の簡単な説明】
【００１９】
【図１】図１は、本実施形態１に係る圧縮機の構成を示す縦断面図である。
【図２】図２は、圧縮機の構成を示す横断面図である。
【図３】図３は、ケーシングの中心からバックヨーク部の内周面又は外周面までの距離を説明するための概略平面図である。
【図４】図４は、ステータの重心位置がケーシングの中心と一致しているときの概略平面図である。
【図５】図５は、ステータの重心位置がケーシングの中心に対してアキュムレータ側に偏心しているときの概略平面図である。
【図６】図６は、圧縮機の負荷トルクと電動機の発生トルクとの関係を示すグラフ図である。
【図７】図７は、実施形態１の変形例に係る圧縮機の構成を示す横断面図である。
【図８】図８は、本実施形態２に係る圧縮機の構成を示す横断面図である。
【図９】図９は、ステータの重心位置がケーシングの中心に対してアキュムレータとは反対側に偏心しているときの概略平面図である。
【図１０】図１０は、ケーシングの中心からバックヨーク部の内周面までの距離を説明するための概略平面図である。
【図１１】図１１は、ケーシングの中心からバックヨーク部の内周面までの距離を説明するための概略平面図である。
【図１２】図１２は、ケーシングの中心からバックヨーク部の内周面までの距離を説明するための概略平面図である。
【発明を実施するための形態】
【００２０】
《実施形態１》
実施形態１について説明する。
【００２１】
〈圧縮機〉
図１に示すように、圧縮機（1）は、ケーシング（2）と、圧縮機構（3）と、駆動軸（4）と、モータ（10）とを備えている。圧縮機（1）は、例えば、空気調和機の室外機（図示せず）に設置される。
【００２２】
モータ（10）は、圧縮機（1）のケーシング（2）に収容されている。モータ（10）は、ステータ（11）と、ステータ（11）に挿通されるロータ（15）とを有する。ステータ（11）及びロータ（15）は、複数枚の電磁鋼板を軸方向に積層することで形成されている。
【００２３】
ロータ（15）には、駆動軸（4）の一端部が固定されている。駆動軸（4）の他端部は、圧縮機構（3）に固定されている。モータ（10）は、駆動軸（4）を介して圧縮機構（3）を駆動する。
【００２４】
圧縮機構（3）には、吸入管（5）の下流端が接続されている。吸入管（5）の上流端には、アキュムレータ（8）が接続されている。アキュムレータ（8）は、圧縮機構（3）に吸入される前の冷媒を一時的に貯留するとともに、冷媒ガスに含まれる液冷媒や冷凍機油を気液分離するものである。
【００２５】
圧縮機構（3）は、吸入管（5）から吸入された冷媒を圧縮して、ケーシング（2）内に吐出する。ケーシング（2）には、吐出管（6）が接続されている。ケーシング（2）内に吐出された高圧の冷媒は、吐出管（6）から吐出される。
【００２６】
なお、以下の説明において、軸方向とは、回転軸方向であって、駆動軸（4）の軸心の方向をいう。径方向とは、駆動軸（4）の軸方向と直交する方向をいう。周方向とは、駆動軸（4）の円周方向に沿った方向をいう。外周側とは、駆動軸（4）の軸心からより遠い側をいう。内周側とは、駆動軸（4）の軸心により近い側をいう。また、縦断面とは、軸方向に沿った断面をいう。横断面とは、軸方向に直交する断面をいう。
【００２７】
〈ステータ〉
図２に示すように、ステータ（11）は、円筒状のバックヨーク部（12）と、バックヨーク部（12）の内周部から径方向内側に突出する複数のティース部（20）と、ティース部（20）に巻回されたコイル（30）とを有する。
【００２８】
複数のティース部（20）は、周方向に間隔をあけて配置されている。隣接するティース部（20）の間には、スロット（13）が形成されている。スロット（13）は、コイル（30）を配置するための空間である。図２に示す例では、ティース部（20）が９つ設けられており、スロット（13）の数が９つとなる。
【００２９】
複数のティース部（20）の径方向長さは、周方向で互いに異なる長さに設定されている。具体的に、図２で右側のティース部（20）を第１ティース部（21）とし、反時計回り方向に順に、第１ティース部（21）〜第９ティース部（29）が配置されているものとする。
【００３０】
第１ティース部（21）は、複数のティース部（20）の中で最も径方向長さが長くなっている。
【００３１】
第２ティース部（22）及び第９ティース部（29）は、径方向長さが同じである。第２ティース部（22）及び第９ティース部（29）は、第１ティース部（21）よりも径方向長さが短い。
【００３２】
第３ティース部（23）及び第８ティース部（28）は、径方向長さが同じである。第３ティース部（23）及び第８ティース部（28）は、第２ティース部（22）及び第９ティース部（29）よりも径方向長さが短い。
【００３３】
第４ティース部（24）及び第７ティース部（27）は、径方向長さが同じである。第４ティース部（24）及び第７ティース部（27）は、第３ティース部（23）及び第８ティース部（28）よりも径方向長さが短い。
【００３４】
第５ティース部（25）及び第６ティース部（26）は、径方向長さが同じである。第５ティース部（25）及び第６ティース部（26）は、第４ティース部（24）及び第７ティース部（27）よりも径方向長さが短い。
【００３５】
このように、第１ティース部（21）から反時計回り方向に、第２ティース部（22）、第３ティース部（23）、第４ティース部（24）、第５ティース部（25）に向かうにつれて、ティース部（20）の径方向長さが短くなっている。また、第１ティース部（21）から時計回り方向に、第９ティース部（29）、第８ティース部（28）、第７ティース部（27）、第６ティース部（26）に向かうにつれて、ティース部（20）の径方向長さが短くなっている。
【００３６】
ここで、図２で右側の第１ティース部（21）の径方向長さが最も長く、第１ティース部（21）に対向する位置に配置された第５ティース部（25）及び第６ティース部（26）の径方向長さが最も短くなっている。そのため、ロータ（15）の中心（Or）は、ステータ（11）の外周部及び内周部の中心（Os）に対して左方に偏心している。
【００３７】
本実施形態では、ケーシング（2）の中心（Oc）からバックヨーク部（12）の内周面又は外周面までの距離を、周方向で異なるようにしている。具体的に、バックヨーク部（12）の外周面には、周方向に間隔をあけて複数の突出部（14）が設けられている。突出部（14）は、ケーシング（2）の内周面に向かって突出している。
【００３８】
図２で左側に配置された突出部（14）は、複数の突出部（14）の中で最も径方向長さが長くなっている。また、バックヨーク部（12）の図２で右側には、突出部が設けられておらず、バックヨーク部（12）の外周面とケーシング（2）の内周面とが当接している。そして、複数の突出部（14）は、図２で左側の突出部（14）から時計回り方向及び反時計回り方向に向かうにつれて、突出部（14）の径方向長さが徐々に短くなっている。
【００３９】
このように、バックヨーク部（12）の外周面に、径方向長さの異なる複数の突出部（14）を設けることで、ケーシング（2）内におけるロータ（15）の中心（Or）を任意に設定することができる。図２に示す例では、モータ（10）のロータ（15）の中心（Or）と、ケーシング（2）の中心（Oc）とを一致させている。ステータ（11）の中心（Os）は、ケーシング（2）の中心（Oc）に対して右方に偏心している。
【００４０】
図３にも示すように、ステータ（11）のバックヨーク部（12）は、円筒状に形成されている。そのため、ケーシング（2）の中心（Oc）からバックヨーク部（12）の内周面までの距離（R1）は、周方向で異なることとなる。また、ケーシング（2）の中心（Oc）からバックヨーク部（12）の外周面までの距離（R2）も、周方向で異なることとなる。
【００４１】
なお、本実施形態では、バックヨーク部（12）の外周面に設けられた突出部（14）の突出端までの距離を、バックヨーク部（12）の外周面までの距離として測定しないように、以下のように区別している。
【００４２】
具体的に、バックヨーク部（12）は、モータ（10）を回転駆動する際に、磁束の通り道となる円環状の部位である。そこで、本実施形態では、通過する磁束が平均の１／１０以上の部位をバックヨーク部（12）とし、通過する磁束が平均の１／１０未満の部位を突出部（14）として区別する。
【００４３】
図３に示す例では、ケーシング（2）の中心（Oc）からバックヨーク部（12）の外周面までの距離（R2）を測定する際に、バックヨーク部（12）の外周面をそのまま用いればよい。
【００４４】
図２に示すように、コイル（30）は、ティース部（20）に集中巻方式で巻回されている。なお、コイル（30）は、ティース部（20）に分布巻方式で巻回されていてもよい。また、ティース部（20）の数は、図示のものに限られるものではない。コイル（30）は、スロット数に対応して９つ設けられている。
【００４５】
第１ティース部（21）〜第９ティース部（29）に巻回されるコイル（30）を、第１コイル（31）〜第９コイル（39）とすると、第１コイル（31）の巻数が最も多くなっている。
【００４６】
第２コイル（32）及び第９コイル（39）は、巻数が同じである。第２コイル（32）及び第９コイル（39）は、第１コイル（31）よりも巻数が少ない。
【００４７】
第３コイル（33）及び第８コイル（38）は、巻数が同じである。第３コイル（33）及び第８コイル（38）は、第２コイル（32）及び第９コイル（39）よりも巻数が少ない。
【００４８】
第４コイル（34）及び第７コイル（37）は、巻数が同じである。第４コイル（34）及び第７コイル（37）は、第３コイル（33）及び第８コイル（38）よりも巻数が少ない。
【００４９】
第５コイル（35）及び第６コイル（36）は、巻数が同じである。第５コイル（35）及び第６コイル（36）は、第４コイル（34）及び第７コイル（37）よりも巻数が少ない。
【００５０】
このように、第１コイル（31）から反時計回り方向に、第２コイル（32）、第３コイル（33）、第４コイル（34）、第５コイル（35）と向かうにつれて、コイル（30）の巻数が少なくなっている。また、第１コイル（31）から時計回り方向に、第９コイル（39）、第８コイル（38）、第７コイル（37）、第６コイル（36）と向かうにつれて、コイル（30）の巻数が少なくなっている。
【００５１】
ここで、例えば、第１コイル（31）、第４コイル（34）、第７コイル（37）は、Ｕ相のコイルである。第２コイル（32）、第５コイル（35）、第８コイル（38）は、Ｖ相のコイルである。第３コイル（33）、第６コイル（36）、第９コイル（39）は、Ｗ相のコイルである。そのため、ステータ（11）の各相では、コイル（30）の巻数の合計が略同じとなっている。
【００５２】
ここで、Ｕ相のコイルである第１コイル（31）、第４コイル（34）、第７コイル（37）は、直列に接続されている。Ｖ相のコイルである第２コイル（32）、第５コイル（35）、第８コイル（38）は、直列に接続されている。Ｗ相のコイルである第３コイル（33）、第６コイル（36）、第９コイル（39）は、直列に接続されている。
【００５３】
〈ロータ〉
図２に示すように、ロータ（15）は、円筒状のコア部（16）と、複数の永久磁石（40）とを有する。コア部（16）の外周寄りの部分には、磁石スロット（17）が形成されている。磁石スロット（17）は、周方向に間隔をあけて６つ設けられている。磁石スロット（17）は、直線状の溝で形成されている。磁石スロット（17）には、長方形状の永久磁石（40）がそれぞれ収納されている。
【００５４】
本実施形態では、ロータ（15）の極ごとに、永久磁石（40）の周方向幅を変更するようにしている。以下の説明では、図２で右側に配置された永久磁石（40）を第１永久磁石（41）として、反時計回り方向に順に、第１永久磁石（41）〜第６永久磁石（46）が配置されているものとする。
【００５５】
第１永久磁石（41）及び第２永久磁石（42）は、周方向幅が同じである。ここで、永久磁石（40）の周方向幅とは、長方形状の永久磁石（40）の長辺の長さである。
【００５６】
第３永久磁石（43）及び第６永久磁石（46）は、周方向幅が同じである。第３永久磁石（43）及び第６永久磁石（46）は、第１永久磁石（41）及び第２永久磁石（42）よりも周方向幅が狭い。
【００５７】
第４永久磁石（44）及び第５永久磁石（45）は、周方向幅が同じである。第４永久磁石（44）及び第５永久磁石（45）は、第３永久磁石（43）及び第６永久磁石（46）よりも周方向幅が狭い。
【００５８】
このように、第１永久磁石（41）から時計回り方向に、第６永久磁石（46）、第５永久磁石と向かうにつれて、永久磁石の周方向幅が狭くなっている。また、第２永久磁石（42）から反時計回り方向に、第３永久磁石（43）、第４永久磁石（44）に向かうにつれて、永久磁石の周方向幅が狭くなっている。
【００５９】
図２に示す例では、第１永久磁石（41）、第３永久磁石（43）、第５永久磁石（45）は、Ｓ極である。第２永久磁石（42）、第４永久磁石（44）は、第６永久磁石（46）は、Ｎ極である。このように、Ｎ極の永久磁石（40）の数と、Ｓ極の永久磁石（40）の数が同じである。また、Ｎ極の永久磁石（40）の総量と、Ｓ極の永久磁石（40）の総量が同じである。
【００６０】
〈圧縮機の重心位置について〉
本実施形態では、ステータ（11）の重心位置を、ケーシング（2）の中心（Oc）に対してアキュムレータ（8）側に偏心させている。これにより、圧縮機（1）の重心位置をアキュムレータ（8）側に偏心させてイナーシャを小さくして、アキュムレータ（8）の振動を低減することができる。
【００６１】
以下、図４に示すように、ステータ（11）の中心（Os）、ロータ（15）の中心（Or）、とケーシング（2）の中心（Oc）が一致しているモータ（10）を比較例として参照する。
【００６２】
図４に示すように、圧縮機（1）にアキュムレータ（8）を取り付ける前の状態では、圧縮機（1）の重心位置（G）は、ケーシング（2）の中心（Oc）と一致している。そして、圧縮機（1）にアキュムレータ（8）を取り付けた後の状態では、アキュムレータ（8）の重量が圧縮機（1）に加わり、圧縮機（1）の重心位置（G）がアキュムレータ（8）側に偏心する。ここで、圧縮機（1）の重心位置（G）とアキュムレータ（8）の中心（Oa）との距離をＤ１とする。
【００６３】
次に、図５に示すように、本実施形態の圧縮機（1）では、ステータ（11）の重心位置がケーシング（2）の中心（Oc）に対して図５で右側に偏心している。モータ（10）全体は、ケーシング（2）内で図５で右側に偏心して配置されている。そのため、圧縮機（1）にアキュムレータ（8）を取り付ける前の状態では、圧縮機（1）の重心位置（G）は、ケーシング（2）の中心（Oc）に対して図５で右側に偏心している。
【００６４】
そして、圧縮機（1）にアキュムレータ（8）を取り付けた後の状態では、アキュムレータ（8）の重量が圧縮機（1）に加わり、圧縮機（1）の重心位置（G）がアキュムレータ（8）側にさらに偏心する。ここで、圧縮機（1）の重心位置（G）とアキュムレータ（8）の中心（Oa）との距離をＤ２とすると、Ｄ２＜Ｄ１となる。
【００６５】
このように、圧縮機（1）の重心位置（G）をアキュムレータ（8）側にさらに偏心させてイナーシャを小さくして、アキュムレータ（8）の振動を低減することができる。
【００６６】
−運転動作−
図１に示すように、モータ（10）に電力が供給されると、ロータ（15）が回転する。ロータ（15）の回転に伴い、駆動軸（4）を介して圧縮機構（3）が回転駆動する。圧縮機構（3）には、吸入管（5）から低圧の冷媒が吸入される。圧縮機構（3）で圧縮されて高圧となった冷媒は、ケーシング（2）内に吐出される。ケーシング（2）内に吐出された冷媒は、吐出管（6）から圧縮機（1）外部に吐出される。
【００６７】
図６は、定常運転時における、圧縮機構（3）の負荷トルク（TL）と回転角度との関係、及びモータ（10）の発生トルク（TM）と回転角度との関係を示すグラフ図である。
【００６８】
図６に示すように、本実施形態の圧縮機（1）の負荷トルク（TL）は、モータ（10）の１回転中に１つのピーク値をとるように概ね三角波状に変動することが分かる。また、モータ（10）の発生トルク（TM）は、略正弦波状の三相交流電流を通電することで、モータ（10）の１回転中に１つのピーク値をとるように概ね正弦波状に変動することが分かる。
【００６９】
本実施形態の圧縮機（1）では、負荷トルク（TL）が最大となるときに、モータ（10）の発生トルク（TM）が最大となるように構成している。
【００７０】
具体的に、圧縮機（1）の負荷トルク（TL）が最大となるときには、図２に示すステータ（11）における最も巻数が多い第１コイル（31）と、ロータ（15）における最も周方向幅が広い第１永久磁石（41）又は第２永久磁石（42）とが、互いに対向する状態となる。
【００７１】
また、ステータ（11）における最も巻数が少ない第５コイル（35）及び第６コイル（36）と、ロータ（15）における最も周方向幅が狭い第４永久磁石（44）又は第５永久磁石（45）とが、互いに対向する状態となる。
【００７２】
一方、圧縮機（1）の負荷トルク（TL）が最小となるときには、図２に示すステータ（11）における最も巻数が多い第１コイル（31）と、ロータ（15）における最も周方向幅が狭い第４永久磁石（44）又は第５永久磁石（45）とが、互いに対向する状態となる。
【００７３】
また、ステータ（11）における最も巻数が少ない第５コイル（35）及び第６コイル（36）と、ロータ（15）における最も周方向幅が広い第１永久磁石（41）又は第２永久磁石（42）とが、互いに対向する状態となる。
【００７４】
−実施形態１の効果−
本実施形態の圧縮機（1）は、筒状のケーシング（2）と、ケーシング（2）に収納されたモータ（10）とを備えている。モータ（10）のステータ（11）は、筒状のバックヨーク部（12）を有し、ケーシング（2）の中心（Oc）からバックヨーク部（12）の内周面又は外周面までの距離が、周方向で異なっている。
【００７５】
本実施形態では、ケーシング（2）の中心（Oc）からバックヨーク部（12）の内周面又は外周面までの距離を、周方向で異なるようにしているので、ケーシング（2）内におけるモータ（10）の回転中心位置を任意に設定することができる。これにより、圧縮機（1）の重心位置を変更することができる。
【００７６】
本実施形態の圧縮機（1）において、モータ（10）のロータ（15）の中心（Or）は、ケーシング（2）の中心（Oc）と一致している。
【００７７】
本実施形態では、ロータ（15）の中心（Or）とケーシング（2）の中心（Oc）とを一致させることで、モータ（10）とケーシング（2）との位置合わせをし易くなり、圧縮機の組立性が良好となる。
【００７８】
本実施形態の圧縮機（1）において、バックヨーク部（12）の外周面には、周方向に間隔をあけて配置され、ケーシング（2）の内周面に向かって突出する複数の突出部（14）が設けられている。
【００７９】
本実施形態では、バックヨーク部（12）の外周面には、周方向に間隔をあけて複数の突出部（14）が設けられている。突出部（14）は、ケーシング（2）の内周面に向かって突出している。これにより、複数の突出部（14）によって、モータ（10）をケーシング（2）内でバランス良く支持することができる。
【００８０】
また、隣接する突出部（14）の隙間を通って、ケーシング（2）の底部に油を回収することができる。
【００８１】
本実施形態の圧縮機（1）において、ケーシング（2）に接続されたアキュムレータ（8）を備え、ステータ（11）の重心位置は、ケーシング（2）の中心（Oc）に対して前記アキュムレータ（8）側に偏心している。
【００８２】
本実施形態では、ステータ（11）の重心位置を、ケーシング（2）の中心（Oc）に対してアキュムレータ（8）側に偏心させている。これにより、アキュムレータ（8）の振動を低減することができる。
【００８３】
−実施形態１の変形例−
前記実施形態１に係る圧縮機（1）では、ステータ（11）のバックヨーク部（12）の外周面に複数の突出部（14）を設けることで、ケーシング（2）の中心（Oc）からバックヨーク部（12）の内周面又は外周面までの距離を、周方向で異なるようにしたが、この形態に限定するものではない。
【００８４】
例えば、図７に示すように、ステータ（11）の外周面をケーシング（2）の内周面と一致させることで、ケーシング（2）内にステータ（11）を嵌め込むとともに、バックヨーク部（12）の径方向長さを、周方向で異なるようにしてもよい。
【００８５】
具体的に、バックヨーク部（12）の図７で右側部分の径方向長さは、図７で左側部分の径方向長さよりも短くなっている。そして、バックヨーク部（12）の径方向長さを、周方向に沿って図７で右側部分から左側部分に向かうにつれて、徐々に大きくすればよい。
【００８６】
これにより、ロータ（15）の中心（Or）とケーシング（2）の中心（Oc）とを一致させるとともに、ステータ（11）の中心（Os）をケーシング（2）の中心（Oc）に対して右方に偏心させた圧縮機（1）を構成することができる。
【００８７】
《実施形態２》
実施形態２について説明する。
【００８８】
〈ステータ〉
図８に示すように、ステータ（11）は、円筒状のバックヨーク部（12）と、バックヨーク部（12）の内周部から径方向内側に突出する複数のティース部（20）と、ティース部（20）に巻回されたコイル（30）とを有する。
【００８９】
複数のティース部（20）の径方向長さは、周方向で互いに異なる長さに設定されている。具体的に、図８で左側のティース部（20）を第１ティース部（21）とし、時計回り方向に順に、第１ティース部（21）〜第９ティース部（29）が配置されているものとする。
【００９０】
第１ティース部（21）は、複数のティース部（20）の中で最も径方向長さが長くなっている。
【００９１】
第２ティース部（22）及び第９ティース部（29）は、径方向長さが同じである。第２ティース部（22）及び第９ティース部（29）は、第１ティース部（21）よりも径方向長さが短い。
【００９２】
第３ティース部（23）及び第８ティース部（28）は、径方向長さが同じである。第３ティース部（23）及び第８ティース部（28）は、第２ティース部（22）及び第９ティース部（29）よりも径方向長さが短い。
【００９３】
第４ティース部（24）及び第７ティース部（27）は、径方向長さが同じである。第４ティース部（24）及び第７ティース部（27）は、第３ティース部（23）及び第８ティース部（28）よりも径方向長さが短い。
【００９４】
第５ティース部（25）及び第６ティース部（26）は、径方向長さが同じである。第５ティース部（25）及び第６ティース部（26）は、第４ティース部（24）及び第７ティース部（27）よりも径方向長さが短い。
【００９５】
このように、第１ティース部（21）から時計回り方向に、第２ティース部（22）、第３ティース部（23）、第４ティース部（24）、第５ティース部（25）に向かうにつれて、ティース部（20）の径方向長さが短くなっている。また、第１ティース部（21）から反時計回り方向に、第９ティース部（29）、第８ティース部（28）、第７ティース部（27）、第６ティース部（26）に向かうにつれて、ティース部（20）の径方向長さが短くなっている。
【００９６】
ここで、図８で左側の第１ティース部（21）の径方向長さが最も長く、第１ティース部（21）に対向する位置に配置された第５ティース部（25）及び第６ティース部（26）の径方向長さが最も短くなっている。そのため、ロータ（15）の中心（Or）は、ステータ（11）の外周部の中心（Os）に対して右方に偏心している。
【００９７】
本実施形態では、ケーシング（2）の中心（Oc）からバックヨーク部（12）の内周面又は外周面までの距離を、周方向で異なるようにしている。具体的に、バックヨーク部（12）の外周面には、周方向に間隔をあけて複数の突出部（14）が設けられている。突出部（14）は、ケーシング（2）の内周面に向かって突出している。
【００９８】
図８で左側に配置された突出部（14）は、複数の突出部（14）の中で最も径方向長さが長くなっている。また、バックヨーク部（12）の図８で右側には、突出部が設けられておらず、バックヨーク部（12）の外周面とケーシング（2）の内周面とが当接している。そして、複数の突出部（14）は、図８で左側の突出部（14）から時計回り方向及び反時計回り方向に向かうにつれて、突出部（14）の径方向長さが徐々に短くなっている。
【００９９】
このように、バックヨーク部（12）の外周面に、径方向長さの異なる複数の突出部（14）を設けることで、ケーシング（2）内におけるロータ（15）の中心（Or）を任意に設定することができる。図８に示す例では、ステータ（11）の中心（Os）は、ケーシング（2）の中心（Oc）に対して右方に偏心している。また、ロータ（15）の中心（Or）は、ケーシング（2）の中心（Oc）及びステータ（11）の中心（Os）に対して右方に偏心している。
【０１００】
〈圧縮機の重心位置について〉
本実施形態では、ステータ（11）の重心位置を、ケーシング（2）の中心（Oc）に対してアキュムレータ（8）側に偏心させている。これにより、圧縮機（1）の重心位置をアキュムレータ（8）側に偏心させてイナーシャを小さくして、アキュムレータ（8）の振動を低減することができる。
【０１０１】
図９に示すように、本実施形態の圧縮機（1）では、ステータ（11）の重心位置がケーシング（2）の中心（Oc）に対して図９で左側に偏心している。モータ（10）全体は、ケーシング（2）内で図９で右側に偏心して配置されている。そのため、圧縮機（1）にアキュムレータ（8）を取り付ける前の状態では、圧縮機（1）の重心位置（G）は、ケーシング（2）の中心（Oc）に対して図９で右側に偏心している。
【０１０２】
そして、圧縮機（1）にアキュムレータ（8）を取り付けた後の状態では、アキュムレータ（8）の重量が圧縮機（1）に加わり、圧縮機（1）の重心位置（G）がアキュムレータ（8）側にさらに偏心する。ここで、圧縮機（1）の重心位置（G）とアキュムレータ（8）の中心（Oa）との距離をＤ２とすると、図４の比較例で検討した距離Ｄ１に対して、Ｄ２＜Ｄ１となる。
【０１０３】
このように、圧縮機（1）の重心位置（G）をアキュムレータ（8）側にさらに偏心させてイナーシャを小さくして、アキュムレータ（8）の振動を低減することができる。
【０１０４】
−実施形態２の効果−
本実施形態の圧縮機（1）において、モータ（10）のロータ（15）の中心（Or）は、ケーシング（2）の中心（Oc）に対して偏心している。
【０１０５】
本実施形態では、ロータ（15）の中心（Or）をケーシング（2）の中心（Oc）に対して偏心させることで、圧縮機（1）の重心位置を変更することができる。
【０１０６】
本実施形態の圧縮機（1）において、ケーシング（2）に接続されたアキュムレータ（8）を備え、ステータ（11）の重心位置は、ケーシング（2）の中心（Oc）に対してアキュムレータ（8）側に偏心している。
【０１０７】
本実施形態では、ステータ（11）の重心位置を、ケーシング（2）の中心（Oc）に対してアキュムレータ（8）側に偏心させている。これにより、アキュムレータ（8）の振動を低減することができる。
【０１０８】
《その他の実施形態》
前記実施形態については、以下のような構成としてもよい。
【０１０９】
本実施形態では、ステータ（11）のバックヨーク部（12）は、円筒状に形成されている。そのため、ケーシング（2）の中心（Oc）からバックヨーク部（12）の内周面までの距離（R1）や外周面までの距離（R2）を測定する際に、バックヨーク部（12）の内周面又は外周面をそのまま用いるようにした。
【０１１０】
しかしながら、例えば、バックヨーク部（12）の内周部又は外周部に切欠きが形成されていると、バックヨーク部（12）の何れの位置を、ケーシング（2）の中心（Oc）から内周面又は外周面までの距離とすればよいか不明瞭となる。そこで、以下の図１０〜図１２を用いて、バックヨーク部（12）の内周面又は外周面を特定する方法について説明する。
【０１１１】
図１０に示すように、バックヨーク部（12）の内周面に切欠きが形成されている場合について検討する。ここで、切欠きは、ステータ（11）のスロット（13）の周方向の中央位置に形成されているものとする。
【０１１２】
この場合には、ティース部（20）とバックヨーク部（12）との境目を連続的に繋ぐ仮想内接円を、バックヨーク部（12）の内周面として用いればよい。なお、ティース部（20）とバックヨーク部（12）との境目は、例えば、ティース部（20）の周方向幅を一定幅としたときに、一定幅よりも広くなった箇所である。
【０１１３】
また、図１１に示すように、バックヨーク部（12）の内周面に形成された切欠きの最深部を連続的に繋ぐ仮想外接円を、バックヨーク部（12）の内周面として用いてもよい。
【０１１４】
また、図１２に示すように、複数のスロット（13）の周方向の中央位置までの各距離を、ケーシング（2）の中心（Oc）からバックヨーク部（12）の内周面までの距離（R1）として用いてもよい。
【０１１５】
なお、図示は省略するが、バックヨーク部（12）の外周面に切欠きが形成されている場合には、内周面のときと同様の方法で、バックヨーク部（12）の外周面を特定すればよい。
【０１１６】
以上、実施形態及び変形例を説明したが、特許請求の範囲の趣旨及び範囲から逸脱することなく、形態や詳細の多様な変更が可能なことが理解されるであろう。また、以上の実施形態及び変形例は、本開示の対象の機能を損なわない限り、適宜組み合わせたり、置換したりしてもよい。
【産業上の利用可能性】
【０１１７】
以上説明したように、本開示は、圧縮機について有用である。
【符号の説明】
【０１１８】
1    圧縮機
2    ケーシング
8    アキュムレータ
10    モータ
11    ステータ
12    バックヨーク部
14    突出部
15    ロータ
【図１】
2020162348.tif 000003
【図２】
2020162348.tif 000004
【図３】
2020162348.tif 000005
【図４】
2020162348.tif 000006
【図５】
2020162348.tif 000007
【図６】
2020162348.tif 000008
【図７】
2020162348.tif 000009
【図８】
2020162348.tif 000010
【図９】
2020162348.tif 000011
【図１０】
2020162348.tif 000012
【図１１】
2020162348.tif 000013
【図１２】
2020162348.tif 000014